Podtech/llm-jp-corpus-v4-ja_patent huggingface dataset:
【手続補正書】
【提出日】平成30年5月31日(2018.5.31)
【手続補正１】
【補正対象書類名】特許請求の範囲
【補正対象項目名】全文
【補正方法】変更
【補正の内容】
【特許請求の範囲】
【請求項１】
外周面に複数の図形が描かれ、前記外周面を形成する壁部の少なくとも一部が光透過性の材料から形成され、回転動作可能に構成される動作手段と、前記動作手段が内部に配置され、開放部分を通して前記動作手段の外周面に描かれた図形を遊技者が見ることができる態様で構成される動作手段配置手段と、を備える遊技機において、
前記動作手段配置手段の内部には、少なくとも第１の前記動作手段と、その第１の動作手段の回転軸に対して前記開放部分の開放方向視で交差する回転軸を有する第２の前記動作手段とが配置され、
前記動作手段の内部に配設される発光手段から発光され前記動作手段の前記壁部を透過した光の少なくとも一部は、前記動作手段配置手段で反射し、前記開放部分を通るよう構成され、
前記壁部の少なくとも一部は、光を反射可能に構成されることを特徴とする遊技機。
【請求項２】
前記発光手段は、複数の発光部材を備えることを特徴とする請求項１記載の遊技機。
【手続補正２】
【補正対象書類名】明細書
【補正対象項目名】０００６
【補正方法】変更
【補正の内容】
【０００６】
この目的を達成するために請求項１記載の遊技機は、外周面に複数の図形が描かれ、前記外周面を形成する壁部の少なくとも一部が光透過性の材料から形成され、回転動作可能に構成される動作手段と、前記動作手段が内部に配置され、開放部分を通して前記動作手段の外周面に描かれた図形を遊技者が見ることができる態様で構成される動作手段配置手段と、を備える遊技機であって、前記動作手段配置手段の内部には、少なくとも第１の前記動作手段と、その第１の動作手段の回転軸に対して前記開放部分の開放方向視で交差する回転軸を有する第２の前記動作手段とが配置され、前記動作手段の内部に配設される発光手段から発光され前記動作手段の前記壁部を透過した光の少なくとも一部は、前記動作手段配置手段で反射し、前記開放部分を通るよう構成され、前記壁部の少なくとも一部は、光を反射可能に構成される。
【手続補正３】
【補正対象書類名】明細書
【補正対象項目名】０００７
【補正方法】変更
【補正の内容】
【０００７】
請求項２記載の遊技機は、請求項１記載の遊技機において、前記発光手段は、複数の発光部材を備える。
【手続補正４】
【補正対象書類名】明細書
【補正対象項目名】０００９
【補正方法】変更
【補正の内容】
【０００９】
請求項１記載の遊技機によれば、動作手段を活用することができる。
【手続補正５】
【補正対象書類名】明細書
【補正対象項目名】００１０
【補正方法】変更
【補正の内容】
【００１０】
請求項２記載の遊技機によれば、請求項１記載の遊技機の奏する効果に加え、発光手段の発光態様を改良することができる。
【手続補正６】
【補正対象書類名】明細書
【補正対象項目名】０９５９
【補正方法】変更
【補正の内容】
【０９５９】
遊技機Ａ１からＡ１１，Ｂ１からＢ１２，Ｃ１からＣ１０及びＤ１からＤ８，Ｅ１からＥ１２，Ｆ１からＦ１４及びＧ１からＧ７のいずれかにおいて、前記遊技機はパチンコ遊技機とスロットマシンとを融合させたものであることを特徴とする遊技機Ｋ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
＜その他＞
本技術的思想は、パチンコ機などの遊技機に関するものである。
パチンコ機等の遊技機において、外周面に複数の図形が描かれると共に外周面を形成する外壁の一部が光透過性の材料から形成される回転体と、その回転体の内部に配設される発光手段と、回転体が回転可能に収容される収容体とを備え、回転体の外周面に描かれた図形を収容体の前面の開放部分から遊技者に視認させる遊技機が知られている。（例えば、特許文献１：特開２０１３−２２０２１５号公報）。
しかしながら、上述した従来の遊技機では、回転体の外周面に描かれた図形の演出効果が有効に発揮されていないという問題点があった。
本技術的思想は、上記例示した問題点を解決するためになされたものであり、回転体の外周面に描かれた図形の演出効果を有効に発揮することができる遊技機を提供することを目的とする。
＜手段＞
この目的を達成するために、技術的思想１の遊技機は、外周面に複数の図形が描かれると共に外周面を形成する外壁の一部が光透過性の材料から形成される回転体と、その回転体の内部に配設される発光手段と、前記回転体が回転可能に収容され前面の開放部分を介して前記回転体の外周面に描かれた図形を遊技者に視認させる収容体と、を備える遊技機において、前記収容体には、少なくとも一対の前記回転体が収容され、それら一対の前記回転体の内、一方の前記回転体は、他方の前記回転体と回転軸が交差する。
技術的思想２の遊技機は、技術的思想１記載の遊技機において、前記発光手段から発光され前記回転体の外壁から透過された光が、前記収容体で反射して遊技者に視認される。
技術的思想３の遊技機は、技術的思想１又は２に記載の遊技機において、前記一方の回転体の軸方向の長さが、前記他方の回転体の軸直角方向の長さに比較して長くされ、前記一方の回転体および前記他方の回転体の軸直角方向の長さは同等とされ、前記収容体の内側面の内、前記他方の回転体の外周面と対向する部分に前記他方の回転体の外周面に描かれた図形を反射させる鏡状の反射部材を備え、前記反射部材および前記他方の回転体を合わせて視認される長さが、前記一方の回転体の軸方向において、前記一方の回転体と同等とされる。
＜効果＞
技術的思想１記載の遊技機によれば、回転体を活用することができる。
技術的思想２記載の遊技機によれば、技術的思想１記載の遊技機の奏する効果に加え、光の演出効果を利用することができる。
技術的思想３記載の遊技機によれば、技術的思想１又は２に記載の遊技機の奏する効果に加え、反射部材を活用することができる。
【手続補正書】
【提出日】平成30年1月26日(2018.1.26)
【手続補正１】
【補正対象書類名】特許請求の範囲
【補正対象項目名】全文
【補正方法】変更
【補正の内容】
【特許請求の範囲】
【請求項１】
所定の遊技が行われる遊技領域と、
前記遊技領域の下方に設けられ、遊技媒体を貯留可能な上皿と、
前記上皿の下方に設けられ、遊技媒体を貯留可能な下皿と、
前記下皿の上方を覆うカバー部と、
所定の装飾を有し、前記カバー部の前方に位置するカバー前装飾部と、
を備えたことを特徴とする遊技機。
【手続補正２】
【補正対象書類名】明細書
【補正対象項目名】０００３
【補正方法】変更
【補正の内容】
【０００３】
この種の遊技機として、正面視における遊技領域の下方に、遊技領域内に打込むための遊技媒体が貯留される上皿と、上皿の下側に配置され上皿から溢れた遊技媒体が貯留される下皿とを備えているものが一般である（例えば、特許文献１）。
【手続補正３】
【補正対象書類名】明細書
【補正対象項目名】０００４
【補正方法】変更
【補正の内容】
【０００４】
しかしながら、従来の遊技機では、下皿の態様によっては、遊技興趣の低下に繋がる虞があった。
【手続補正４】
【補正対象書類名】明細書
【補正対象項目名】０００５
【補正方法】変更
【補正の内容】
【０００５】
【特許文献１】特開２００９−２８３９０号公報
【手続補正５】
【補正対象書類名】明細書
【補正対象項目名】０００６
【補正方法】変更
【補正の内容】
【０００６】
そこで、本発明は、上記の実情に鑑み、興趣の低下を抑制することが可能な遊技機の提供を課題とする。
【手続補正６】
【補正対象書類名】明細書
【補正対象項目名】０００７
【補正方法】変更
【補正の内容】
【０００７】
本発明は、
所定の遊技が行われる遊技領域と、
前記遊技領域の下方に設けられ、遊技媒体を貯留可能な上皿と、
前記上皿の下方に設けられ、遊技媒体を貯留可能な下皿と、
前記下皿の上方を覆うカバー部と、
所定の装飾を有し、前記カバー部の前方に位置するカバー前装飾部と、
を備えたことを特徴とする。
また、本発明とは別に開示する別発明の手段を以下に示す。
手段１：遊技機において、
「所定の遊技が行われる遊技領域と、
該遊技領域よりも正面視下側に配置されているベース部と、
該ベース部に取付けられている内部装飾手段と、
該内部装飾手段を覆うように前記ベース部に取付けられ、前記内部装飾手段を遊技者から視認可能としている透明な操作受部、及び該操作受部の裏側から前記ベース部側へ突出しており前記内部装飾手段の外周の少なくとも一部を囲むと共に透明な前記操作受部を通して前記内部装飾手段の外周よりも外側を視認困難としている壁部を備え、遊技者が操作可能な操作部と
を具備している」ものであることを特徴とする。
【手続補正７】
【補正対象書類名】明細書
【補正対象項目名】００７９
【補正方法】変更
【補正の内容】
【００７９】
このように、本発明によれば、興趣の低下を抑制することが可能な遊技機を提供することができる。
【手続補正書】
【提出日】平成29年12月4日(2017.12.4)
【手続補正１】
【補正対象書類名】特許請求の範囲
【補正対象項目名】全文
【補正方法】変更
【補正の内容】
【特許請求の範囲】
【請求項１】
遊技に使用するための遊技媒体をベットするベット手段と、
遊技媒体をベットした後、スタートスイッチの操作に基づき、複数種類の当選種別のいずれかを当選種別抽選により決定する当選種別抽選手段と、
前記スタートスイッチの操作に応じて、複数種類の図柄がそれぞれ配列された複数の回転リールを回転制御し、回転している回転リールに対応するストップスイッチの操作に応じ、前記当選種別抽選手段の抽選結果に基づいて、操作された該ストップスイッチに対応する回転リールをそれぞれ停止制御するリール制御手段と、
前記当選種別抽選で決定した当選種別を構成する小役の入賞に基づいて、該小役に対応する遊技媒体を払い出す払出制御手段と、
特殊遊技状態を含む複数の遊技状態から１の遊技状態を設定する遊技状態遷移手段と、
を備え、
前記特殊遊技状態は、前半部と、該前半部の後に行われる後半部とにより構成され、
前記当選種別抽選手段は、
前記前半部において前記当選種別抽選により決定された前記当選種別に基づいて、前記後半部の遊技数を決定する
ことを特徴とする遊技機。
【請求項２】
前記当選種別抽選手段は、
前記前半部において、遊技毎に決定された前記当選種別に基づいてポイントを累積していき、該前半部において累積されたポイントの合計値に基づいて、前記後半部の遊技数を決定する
ことを特徴とする請求項１に記載の遊技機。
【手続補正２】
【補正対象書類名】明細書
【補正対象項目名】０００７
【補正方法】変更
【補正の内容】
【０００７】
上記課題を解決するために、本発明の遊技機は、遊技に使用するための遊技媒体をベットするベット手段と、遊技媒体をベットした後、スタートスイッチの操作に基づき、複数種類の当選種別のいずれかを当選種別抽選により決定する当選種別抽選手段と、前記スタートスイッチの操作に応じて、複数種類の図柄がそれぞれ配列された複数の回転リールを回転制御し、回転している回転リールに対応するストップスイッチの操作に応じ、前記当選種別抽選手段の抽選結果に基づいて、操作された該ストップスイッチに対応する回転リールをそれぞれ停止制御するリール制御手段と、前記当選種別抽選で決定した当選種別を構成する小役の入賞に基づいて、該小役に対応する遊技媒体を払い出す払出制御手段と、特殊遊技状態を含む複数の遊技状態から１の遊技状態を設定する遊技状態遷移手段と、を備え、前記特殊遊技状態は、前半部と、該前半部の後に行われる後半部とにより構成され、前記当選種別抽選手段は、前記前半部において前記当選種別抽選により決定された前記当選種別に基づいて、前記後半部の遊技数を決定する。
【手続補正３】
【補正対象書類名】明細書
【補正対象項目名】０００８
【補正方法】変更
【補正の内容】
【０００８】
また、前記当選種別抽選手段は、前記前半部において、遊技毎に決定された前記当選種別に基づいてポイントを累積していき、該前半部において累積されたポイントの合計値に基づいて、前記後半部の遊技数を決定するようにしてもよい。
【手続補正書】
【提出日】平成29年11月3日(2017.11.3)
【手続補正１】
【補正対象書類名】特許請求の範囲
【補正対象項目名】全文
【補正方法】変更
【補正の内容】
【特許請求の範囲】
【請求項１】
患者に医療処置を施す際に使用する医療用器具の作業長さ設定・計測具であって、
作業長さ調整具設定部と、
目盛を付与した計測体と、
前記計測体の軸心方向に沿って平行移動可能で、作業長さ設定用目印を付与した作業長さ設定部材を有し、
前記計測体と前記作業長さ設定部材とを任意の位置で固定する固定具を有することを特徴とする医療用器具の作業長さ設定・計測具。
【請求項２】
前記作業長さ設定部材が前記計測体の周囲に回転して固定されるのを防ぐ手段を設けた請求項１に記載の医療用器具の作業長さ設定・計測具。
【請求項３】
前記作業長さ設定部材または前記計測体に切れ込み部を設けた請求項１または２に記載の医療用器具の作業長さ設定・計測具。
【請求項４】
前記目盛と前期作業長さ設定用目印が、同一平面上に設置可能に構成されている請求項１〜３のいずれかに記載の医療用器具の作業長さ設定・計測具。
【請求項５】
前記作業長さ調整具設定部に医療用器具通過溝および前記医療用器具通過溝にストッパーが入り込む概円柱形のストッパー保持部を設けた請求項１〜４のいずれかに記載の医療用器具の作業長さ設定・計測具。
【請求項６】
前記計測体が板状である請求項１〜５のいずれかに記載の医療用器具の作業長さ設定・計測具。
【手続補正書】
【提出日】平成30年7月25日(2018.7.25)
【手続補正１】
【補正対象書類名】特許請求の範囲
【補正対象項目名】全文
【補正方法】変更
【補正の内容】
【特許請求の範囲】
【請求項１】
遊技媒体を用いた遊技を行う遊技機において、
当該遊技機の前面側に設けられ、遊技者によって操作可能な透明な操作受部と、
前記操作受部を通して視認可能に配置された内部装飾装置と、を備え、
前記内部装飾装置は、立体形状の装飾体と、該装飾体を後方から発光装飾する発光部とを有し、前記操作受部を通して前記発光部を直接視認することが困難になるように、該装飾体が前記発光部を被覆するように設けられており、
前記装飾体は、前記操作受部を通して視認可能になる装飾面が変化するように動作可能である
ことを特徴とする遊技機。
【手続補正２】
【補正対象書類名】明細書
【補正対象項目名】０００４
【補正方法】削除
【補正の内容】
【手続補正３】
【補正対象書類名】明細書
【補正対象項目名】０００６
【補正方法】変更
【補正の内容】
【０００６】
そこで、本発明は、上記の実情に鑑み、興趣の低下を抑制することが可能な遊技機の提供を課題とする。
【手続補正４】
【補正対象書類名】明細書
【補正対象項目名】０００７
【補正方法】変更
【補正の内容】
【０００７】
本発明は、
遊技媒体を用いた遊技を行う遊技機において、
当該遊技機の前面側に設けられ、遊技者によって操作可能な透明な操作受部と、
前記操作受部を通して視認可能に配置された内部装飾装置と、を備え、
前記内部装飾装置は、立体形状の装飾体と、該装飾体を後方から発光装飾する発光部とを有し、前記操作受部を通して前記発光部を直接視認することが困難になるように、該装飾体が前記発光部を被覆するように設けられており、
前記装飾体は、前記操作受部を通して視認可能になる装飾面が変化するように動作可能である
ことを特徴とする。（例えば、図６７〜図７３を参照）
また、本発明とは別の発明として以下の手段を参考的に開示する。
手段１：遊技機において、
「所定の遊技が行われる遊技領域と、
該遊技領域よりも正面視下側に配置されているベース部と、
該ベース部に取付けられている内部装飾手段と、
該内部装飾手段を覆うように前記ベース部に取付けられ、前記内部装飾手段を遊技者から視認可能としている透明な操作受部、及び該操作受部の外周縁から内側へ向かって延びている受部用装飾部を備え、遊技者が操作可能な操作部と
を具備している」ものであることを特徴とする。
【手続補正５】
【補正対象書類名】明細書
【補正対象項目名】００８０
【補正方法】変更
【補正の内容】
【００８０】
このように、本発明によれば、興趣の低下を抑制することが可能な遊技機を提供することができる。
【手続補正書】
【提出日】平成30年3月7日(2018.3.7)
【手続補正１】
【補正対象書類名】特許請求の範囲
【補正対象項目名】全文
【補正方法】変更
【補正の内容】
【特許請求の範囲】
【請求項１】
ワークをワイヤが並設された間隔でスライスする放電加工において用いられる保持装置であって、
前記ワークが前記保持装置から落下しないように、前記ワークを保持する保持部と、
前記ワークに電流が流れるように、前記ワークと通電する通電部と、
を備え、
前記並設されたワイヤにより放電加工されない第１の箇所に、前記保持部が配置されており、
前記並設されたワイヤにより放電加工され、前記ワークのスライス加工が終了する第２の箇所に、前記通電部が配置されており、
前記第１の箇所で、前記ワークを吸着保持することを特徴とする保持装置。
【請求項２】
前記第１の箇所で、前記ワークを吸着保持しない状態では、通電部単独で前記ワークを保持できないことを特徴とする請求項１に記載の保持装置。
【請求項３】
前記第２の箇所まで前記ワークのスライス加工が終了した後に、前記第１の箇所で、前記ワークを吸着保持しない状態では、前記第２の箇所までワークのスライス加工が完了したウエハが前記保持装置から落下することを特徴とする請求項１または請求項２に記載の保持装置。
【請求項４】
前記第１の箇所ではない第３の箇所に、前記放電加工を行うワイヤ放電加工装置から配線されたバキュームに接続する接続部が設けられていることを特徴とする請求項１乃至請求項３のいずれか１項に記載の保持装置。
【請求項５】
前記保持装置が円柱型のＳｉＣインゴットを前記放電加工するために用いられることを特徴とする請求項１乃至請求項４のいずれか１項に記載の保持装置。
【請求項６】
ワークをワイヤが並設された間隔でスライスする放電加工において用いられるワイヤ放電加工装置であって、
前記ワークが落下しないように、前記ワークを保持する保持部と、
前記ワークに電流が流れるように、前記ワークと通電する通電部と、
を備え、
前記並設されたワイヤにより放電加工されない第１の箇所に、前記保持部が配置されており、
前記並設されたワイヤにより放電加工され、前記ワークのスライス加工が終了する第２の箇所に、前記通電部が配置されており、
前記第１の箇所で、前記ワークを吸着保持することを特徴とするワイヤ放電加工装置。
【請求項７】
前記第１の箇所で、前記ワークを吸着保持しない状態では、通電部単独で前記ワークを保持できないことを特徴とする請求項６に記載のワイヤ放電加工装置。
【請求項８】
前記第２の箇所まで前記ワークのスライス加工が終了した後に、前記第１の箇所で、前記ワークを吸着保持しない状態では、前記第２の箇所までワークのスライス加工が完了したウエハが前記ワイヤ放電加工装置から落下することを特徴とする請求項６または請求項７に記載のワイヤ放電加工装置。
【請求項９】
前記ワークを浸漬する加工槽をさらに備え、
前記落下した全てのウエハを回収するウエハ回収部が加工槽内に設けられていることを特徴とする請求項８に記載のワイヤ放電加工装置。
【請求項１０】
ワークが保持装置から落下しないように、前記ワークを保持する保持部と、前記ワークに電流が流れるように、前記ワークと通電する通電部と、を備え、
並設されたワイヤにより放電加工されない第１の箇所に、前記保持部が配置されており、前記並設されたワイヤにより放電加工され、前記ワークのスライス加工が終了する第２の箇所に、前記通電部が配置されており、
ワークをワイヤが前記並設された間隔でスライスする放電加工において用いられる保持装置を用いたワークの保持方法であって、
前記第１の箇所で、前記ワークを吸着保持することを特徴とする保持方法。
【請求項１１】
ワークが保持装置から落下しないように、前記ワークを保持する保持部と、前記ワークに電流が流れるように、前記ワークと通電する通電部と、を備え、
並設されたワイヤにより放電加工されない第１の箇所に、前記保持部が配置されており、前記並設されたワイヤにより放電加工され、前記ワークのスライス加工が終了する第２の箇所に、前記通電部が配置されており、
ワークをワイヤが前記並設された間隔でスライスする放電加工において用いられるワイヤ放電加工装置を用いたワークの加工方法であって、
前記第１の箇所で、前記ワークを吸着保持することを特徴とする加工方法。
【手続補正２】
【補正対象書類名】明細書
【補正対象項目名】０００７
【補正方法】変更
【補正の内容】
【０００７】
本発明は、ワークをワイヤが並設された間隔でスライスする放電加工において用いられる保持装置であって、前記ワークが前記保持装置から落下しないように、前記ワークを保持する保持部と、前記ワークに電流が流れるように、前記ワークと通電する通電部と、を備え、前記並設されたワイヤにより放電加工されない第１の箇所に、前記保持部が配置されており、前記並設されたワイヤにより放電加工され、前記ワークのスライス加工が終了する第２の箇所に、前記通電部が配置されており、前記第１の箇所で、前記ワークを吸着保持することを特徴とする。
また、前記第１の箇所で、前記ワークを吸着保持しない状態では、通電部単独で前記ワークを保持できないことを特徴とする。
【手続補正３】
【補正対象書類名】明細書
【補正対象項目名】０００８
【補正方法】変更
【補正の内容】
【０００８】
また、前記第２の箇所まで前記ワークのスライス加工が終了した後に、前記第１の箇所で、前記ワークを吸着保持しない状態では、前記第２の箇所までワークのスライス加工が完了したウエハが前記保持装置から落下することを特徴とする。
【手続補正４】
【補正対象書類名】明細書
【補正対象項目名】０００９
【補正方法】変更
【補正の内容】
【０００９】
また、前記第１の箇所ではない第３の箇所に、前記放電加工を行うワイヤ放電加工装置から配線されたバキュームに接続する接続部が設けられていることを特徴とする。
また、前記保持装置が円柱型のＳｉＣインゴットを前記放電加工するために用いられることを特徴とする。
【手続補正書】
【提出日】平成30年7月31日(2018.7.31)
【手続補正１】
【補正対象書類名】特許請求の範囲
【補正対象項目名】全文
【補正方法】変更
【補正の内容】
【特許請求の範囲】
【請求項１】
研磨面と底面とを有し、前記研磨面から前記底面まで延びる通孔が形成された研磨パッドと、
前記研磨パッドを支持する研磨テーブルと、
基板の表面を前記研磨パッドの前記研磨面に押し付ける研磨ヘッドと、
前記研磨テーブルに取り付けられた渦電流センサと、
前記研磨パッドの前記通孔内に配置されたセンサターゲットとを備え、
前記渦電流センサの先端は、前記研磨パッドの前記通孔内に位置していることを特徴とする研磨装置。
【請求項２】
前記センサターゲットと前記渦電流センサとの相対位置は固定であることを特徴とする請求項１に記載の研磨装置。
【請求項３】
前記研磨パッドの前記通孔内に配置されたフェライトをさらに備えたことを特徴とする請求項１に記載の研磨装置。
【請求項４】
前記フェライトは、前記渦電流センサと一直線上に並んでいることを特徴とする請求項３に記載の研磨装置。
【請求項５】
前記フェライトは、前記渦電流センサおよび前記センサターゲットに接触していないことを特徴とする請求項３に記載の研磨装置。
【手続補正２】
【補正対象書類名】明細書
【補正対象項目名】０００９
【補正方法】変更
【補正の内容】
【０００９】
上述した目的を達成するために、本発明の一参考例は、基板が研磨される研磨面を有する研磨パッドと、前記研磨パッドを支持する研磨テーブルと、前記研磨テーブルを回転させるテーブルモータと、前記基板の表面を前記研磨パッドの前記研磨面に押し付ける研磨ヘッドと、前記研磨パッドの前記研磨面に研磨液を供給する研磨液供給ノズルと、前記研磨テーブルに配置された温度センサとを備え、前記温度センサは、前記研磨テーブルが一回転するたびに前記基板の表面を横切る位置に配置されていることを特徴とする研磨装置である。
【手続補正３】
【補正対象書類名】明細書
【補正対象項目名】００１０
【補正方法】変更
【補正の内容】
【００１０】
上記参考例の好ましい態様は、前記温度センサは、前記研磨パッドの下に配置され、前記研磨パッドの下面の温度を測定することを特徴とする。
上記参考例の好ましい態様は、前記研磨パッドは、その下面に凹部を有しており、前記温度センサの先端は、前記凹部内に位置していることを特徴とする。
上記参考例の好ましい態様は、前記研磨パッドは、通孔を有しており、前記温度センサの先端は、前記通孔内に位置しており、前記温度センサは前記通孔内に存在する前記研磨液の温度を測定することを特徴とする。
【手続補正４】
【補正対象書類名】明細書
【補正対象項目名】００１１
【補正方法】変更
【補正の内容】
【００１１】
上記参考例の好ましい態様は、前記温度センサの出力値に基づいて前記基板の研磨終点を決定する研磨動作制御部をさらに備えたことを特徴とする。
上記参考例の好ましい態様は、前記温度センサは、熱電対であることを特徴とする。
上記参考例の好ましい態様は、前記温度センサは、渦電流センサと、導電材からなるセンサターゲットとの組み合わせであることを特徴とする。
【手続補正５】
【補正対象書類名】明細書
【補正対象項目名】００１２
【補正方法】変更
【補正の内容】
【００１２】
本発明の一態様は、研磨面と底面とを有し、前記研磨面から前記底面まで延びる通孔が形成された研磨パッドと、前記研磨パッドを支持する研磨テーブルと、基板の表面を前記研磨パッドの前記研磨面に押し付ける研磨ヘッドと、前記研磨テーブルに取り付けられた渦電流センサと、前記研磨パッドの前記通孔内に配置されたセンサターゲットとを備え、前記渦電流センサの先端は、前記研磨パッドの前記通孔内に位置していることを特徴とする研磨装置である。
【手続補正６】
【補正対象書類名】明細書
【補正対象項目名】００１４
【補正方法】変更
【補正の内容】
【００１４】
本発明の一参考例は、研磨面を有する研磨パッドを支持する研磨テーブルを回転させ、前記研磨パッドの上面から構成される前記研磨面に研磨液を供給しながら、基板の表面を前記研磨パッドの前記研磨面に押し付け、前記研磨テーブルの回転に伴って、前記研磨テーブルに配置された温度センサを前記基板の表面を横切るように移動させながら、前記温度センサの出力値を取得することを特徴とする研磨方法である。
【手続補正７】
【補正対象書類名】明細書
【補正対象項目名】００１５
【補正方法】変更
【補正の内容】
【００１５】
上記参考例の好ましい態様は、前記研磨テーブルの回転に伴って、前記温度センサを前記基板の表面を横切るように移動させながら、前記研磨パッドの下面の温度を前記温度センサにより測定することを特徴とする。
上記参考例の好ましい態様は、前記研磨テーブルの回転に伴って、前記温度センサを前記基板の表面を横切るように移動させながら、前記基板と前記温度センサとの間に存在する前記研磨液の温度を前記温度センサにより測定することを特徴とする。
上記参考例の好ましい態様は、前記温度センサの出力値に基づいて前記基板の研磨終点を決定することを特徴とする。
【手続補正書】
【提出日】平成30年4月25日(2018.4.25)
【手続補正１】
【補正対象書類名】特許請求の範囲
【補正対象項目名】全文
【補正方法】変更
【補正の内容】
【特許請求の範囲】
【請求項１】
遊技を行う遊技機であって、
プログラムに基づいて複数のレジスタを用いて演算を行うＣＰＵと、
第１制御に係る第１プログラムが記憶される第１プログラム記憶領域と、
第２制御に係る第２プログラムが記憶される第２プログラム記憶領域と、
前記第１制御において更新及び参照され、前記第２制御において更新されない第１変動データが記憶される第１変動データ記憶領域と、
前記第２制御において更新及び参照され、前記第１制御において更新されない第２変動データが記憶される第２変動データ記憶領域と、
を備え、
前記第１制御が行われているときに、前記第２制御を行う場合において、前記第１制御において使用していたか否かにかかわらず、全ての前記レジスタの値を保護する保護処理を行い、前記第２制御を行った後に、保護されていた値を復帰させる復帰処理を行う、遊技機。
【手続補正２】
【補正対象書類名】明細書
【補正対象項目名】０００６
【補正方法】変更
【補正の内容】
【０００６】
上記課題を解決するために、本発明の請求項１の遊技機は、
遊技を行う遊技機であって、
プログラムに基づいて複数のレジスタを用いて演算を行うＣＰＵと、
第１制御に係る第１プログラムが記憶される第１プログラム記憶領域と、
第２制御に係る第２プログラムが記憶される第２プログラム記憶領域と、
前記第１制御において更新及び参照され、前記第２制御において更新されない第１変動データが記憶される第１変動データ記憶領域と、
前記第２制御において更新及び参照され、前記第１制御において更新されない第２変動データが記憶される第２変動データ記憶領域と、
を備え、
前記第１制御が行われているときに、前記第２制御を行う場合において、前記第１制御において使用していたか否かにかかわらず、全ての前記レジスタの値を保護する保護処理を行い、前記第２制御を行った後に、保護されていた値を復帰させる復帰処理を行う
ことを特徴としている。
本発明の手段１の遊技機は、
遊技を行う遊技機（スロットマシン１）において、
遊技の進行に係わる遊技プログラム（遊技プログラム）が記憶される遊技プログラム記憶領域（遊技プログラム領域）と、
前記遊技プログラムが参照する遊技用固定データ（遊技データ）が読み出し可能に記憶される遊技用固定データ記憶領域（遊技データ領域）と、
前記遊技プログラムが参照する遊技用変動データ（遊技プログラムのワークデータ）が読み出し及び書き込み可能に記憶される遊技用変動データ記憶領域（遊技ＲＡＭ領域）と、
前記遊技プログラムによって呼び出されるプログラムであり、遊技の進行に係わらない非遊技プログラム（非遊技プログラム）が記憶される非遊技プログラム記憶領域（非遊技プログラム領域）と、
前記非遊技プログラムが参照する非遊技用固定データ（非遊技データ）が読み出し可能に記憶される非遊技用固定データ記憶領域（非遊技データ領域）と、
前記非遊技プログラムが参照する非遊技用変動データ（非遊技プログラムのワークデータ）が読み出し及び書き込み可能に記憶される非遊技用変動データ記憶領域（非遊技ＲＡＭ領域）と、
前記遊技プログラム及び前記非遊技プログラムを実行するプログラム実行手段（ＣＰＵ４１ａ）と、
前記プログラム実行手段が用いる特定記憶領域（レジスタ）と、
を備え、
前記プログラム実行手段は、
前記遊技プログラムを実行する際に、前記非遊技用変動データ記憶領域（非遊技ＲＡＭ領域）を参照も更新もせず、
前記非遊技プログラムを実行する際に、前記遊技用変動データ記憶領域（遊技ＲＡＭ領域）を参照することはあるが更新はせず、
前記非遊技プログラムを実行する際に、前記遊技プログラムが使用していた領域であるか否かに関わらず特定記憶領域（レジスタ）の全ての領域を保護する保護処理（スタックに退避する処理）を行う
ことを特徴としている。
この特徴によれば、遊技の進行に係わる遊技プログラムが記憶される遊技プログラム記憶領域と、遊技プログラムが参照する遊技用固定データが読み出し可能に記憶される遊技用固定データ記憶領域と、遊技プログラムが参照する遊技用変動データが読み出し及び書き込み可能に記憶される遊技用変動データ記憶領域と、遊技プログラムによって呼び出されるプログラムであり、遊技の進行に係わらない非遊技プログラムが記憶される非遊技プログラム記憶領域と、非遊技プログラムが参照する非遊技用固定データが読み出し可能に記憶される非遊技用固定データ記憶領域と、非遊技プログラムが参照する非遊技用変動データが読み出し及び書き込み可能に記憶される非遊技用変動データ記憶領域と、がそれぞれ別個に割り当てられているため、遊技プログラム、遊技用固定データ及び遊技用変動データと、非遊技プログラム、非遊技用固定データ及び非遊技用変動データと、を記憶領域の違いに応じて容易に特定することができる。
また、プログラム実行手段が、遊技プログラムを実行する際に、非遊技用変動データ記憶領域を参照も更新もしない一方で、非遊技プログラムを実行する際に、遊技用変動データ記憶領域を参照することはあるが更新はしないため、非遊技プログラムを実行するにあたり、遊技プログラムが使用していたデータを簡単に利用することができつつ、非遊技プログラムが遊技プログラムの処理に影響を及ぼすことがない。
また、非遊技プログラムを実行する際に、遊技プログラムが使用していた領域であるか否かに関わらず特定記憶領域の全ての領域を保護する保護処理が行われるため、遊技プログラムに復帰する際に、非遊技プログラムが呼び出された時点の状態から確実に復帰することができる。
【手続補正書】
【提出日】平成30年4月25日(2018.4.25)
【手続補正１】
【補正対象書類名】特許請求の範囲
【補正対象項目名】全文
【補正方法】変更
【補正の内容】
【特許請求の範囲】
【請求項１】
遊技を行う遊技機であって、
第１制御に係る第１プログラムが記憶される第１プログラム記憶領域と、
第２制御に係る第２プログラムが記憶される第２プログラム記憶領域と、
前記第１制御において更新及び参照され、前記第２制御において更新されない第１変動データが記憶される第１変動データ記憶領域と、
前記第２制御において更新及び参照され、前記第１制御において更新されない第２変動データが記憶される第２変動データ記憶領域と、
を備え、
遊技機の状態が特定状態である場合に、前記第１変動データ記憶領域に前記特定状態である旨を示す情報を記憶させるとともに、前記第２変動データ記憶領域にも前記特定状態である旨を示す情報を記憶させる、遊技機。
【手続補正２】
【補正対象書類名】明細書
【補正対象項目名】０００６
【補正方法】変更
【補正の内容】
【０００６】
上記課題を解決するために、本発明の請求項１の遊技機は、
遊技を行う遊技機であって、
第１制御に係る第１プログラムが記憶される第１プログラム記憶領域と、
第２制御に係る第２プログラムが記憶される第２プログラム記憶領域と、
前記第１制御において更新及び参照され、前記第２制御において更新されない第１変動データが記憶される第１変動データ記憶領域と、
前記第２制御において更新及び参照され、前記第１制御において更新されない第２変動データが記憶される第２変動データ記憶領域と、
を備え、
遊技機の状態が特定状態である場合に、前記第１変動データ記憶領域に前記特定状態である旨を示す情報を記憶させるとともに、前記第２変動データ記憶領域にも前記特定状態である旨を示す情報を記憶させる
ことを特徴としている。
本発明の手段１の遊技機は、
遊技を行う遊技機（スロットマシン１）において、
遊技の進行に係わる遊技プログラム（遊技プログラム）が記憶される遊技プログラム記憶領域（遊技プログラム領域）と、
前記遊技プログラムが参照する遊技用固定データ（遊技データ）が読み出し可能に記憶される遊技用固定データ記憶領域（遊技データ領域）と、
前記遊技プログラムが参照する遊技用変動データ（遊技プログラムのワークデータ）が読み出し及び書き込み可能に記憶される遊技用変動データ記憶領域（遊技ＲＡＭ領域）と、
前記遊技プログラムによって呼び出されるプログラムであり、遊技の進行に係わらない非遊技プログラム（非遊技プログラム）が記憶される非遊技プログラム記憶領域（非遊技プログラム領域）と、
前記非遊技プログラムが参照する非遊技用固定データ（非遊技データ）が読み出し可能に記憶される非遊技用固定データ記憶領域（非遊技データ領域）と、
前記非遊技プログラムが参照する非遊技用変動データ（非遊技プログラムのワークデータ）が読み出し及び書き込み可能に記憶される非遊技用変動データ記憶領域（非遊技ＲＡＭ領域）と、
前記遊技プログラム及び前記非遊技プログラムを実行するプログラム実行手段（ＣＰＵ４１ａ）と、
を備え、
前記プログラム実行手段は、
前記遊技プログラムを実行する際に、前記非遊技用固定データ記憶領域（非遊技データ領域）及び前記非遊技用変動データ記憶領域（非遊技ＲＡＭ領域）を参照せず、
前記非遊技プログラムを実行する際に、前記遊技用固定データ記憶領域（遊技データ領域）及び前記遊技用変動データ記憶領域（遊技ＲＡＭ領域）を参照せず、
遊技状態が特定状態である場合に、前記遊技用変動データ記憶領域（遊技ＲＡＭ領域）に前記特定状態であることを示す情報（内部当選フラグの設定内容、遊技状態の種類、ＲＴの種類等）を記憶させるとともに、前記非遊技用変動データ記憶領域（非遊技ＲＡＭ領域）にも前記特定状態であることを示す情報（内部当選フラグの設定内容、遊技状態の種類、ＲＴの種類等）を記憶させる
ことを特徴としている。
この特徴によれば、遊技の進行に係わる遊技プログラムが記憶される遊技プログラム記憶領域と、遊技プログラムが参照する遊技用固定データが読み出し可能に記憶される遊技用固定データ記憶領域と、遊技プログラムが参照する遊技用変動データが読み出し及び書き込み可能に記憶される遊技用変動データ記憶領域と、遊技プログラムによって呼び出されるプログラムであり、遊技の進行に係わらない非遊技プログラムが記憶される非遊技プログラム記憶領域と、非遊技プログラムが参照する非遊技用固定データが読み出し可能に記憶される非遊技用固定データ記憶領域と、非遊技プログラムが参照する非遊技用変動データが読み出し及び書き込み可能に記憶される非遊技用変動データ記憶領域と、がそれぞれ別個に割り当てられているため、遊技プログラム、遊技用固定データ及び遊技用変動データと、非遊技プログラム、非遊技用固定データ及び非遊技用変動データと、を記憶領域の違いに応じて容易に特定することができる。
また、プログラム実行手段が、遊技プログラムを実行する際に、非遊技用固定データ記憶領域及び非遊技用変動データ記憶領域を参照せず、非遊技プログラムを実行する際に、遊技用固定データ記憶領域及び遊技用変動データ記憶領域を参照しないため、遊技プログラム及び非遊技プログラムの双方の設計も容易となる。
また、遊技プログラムを実行する際に、非遊技用変動データ記憶領域を参照せず、非遊技プログラムを実行する際に、遊技用変動データ記憶領域を参照しない構成であっても、遊技状態が特定状態である場合に、遊技用変動データ記憶領域に特定状態であることを示す情報を記憶させるとともに、非遊技用変動データ記憶領域にも特定状態であることを示す情報を記憶させるようになっており、遊技プログラム及び非遊技プログラムの双方にて遊技状態が特定状態であることを特定し、それぞれ特定状態に応じた制御を行わせることができる。
【手続補正書】
【提出日】平成30年4月3日(2018.4.3)
【手続補正１】
【補正対象書類名】特許請求の範囲
【補正対象項目名】全文
【補正方法】変更
【補正の内容】
【特許請求の範囲】
【請求項１】
密閉容器内に、上側から圧縮機構部、電動機構部及び潤滑油溜りを配設し、前記電動機構部によって回転する回転軸によって前記圧縮機構部で作動ガスを圧縮すると共に前記潤滑油溜りより上側に位置する吐出管から圧縮された作動ガスが吐出され、前記回転軸によって回転する潤滑油ポンプで前記潤滑油溜りの潤滑油を前記圧縮機構部に供給し、前記圧縮機構部から吐出される潤滑油を含んだ作動ガスを前記潤滑油溜りに導く作動ガス通路を備えた圧縮機において、
前記吐出管と前記潤滑油溜りの間の空間に、複数の孔を有する第１潤滑油分離板と、この第１潤滑油分離板と所定の距離を置いて前記第１潤滑油分離板の複数の孔を覆う連続した面を有する中実の第２潤滑油分離板とを配置したことを特徴とする圧縮機。
【請求項２】
請求項１に記載の圧縮機において、
前記第２潤滑油分離板は、前記第１潤滑油分離板よりも前記吐出管に近い位置に配置されることを特徴とする圧縮機。
【請求項３】
請求項１に記載の圧縮機において、
前記圧縮機構部は作動ガスを圧縮するスクロール型の前記圧縮機構部であり、前記作動ガス通路は、前記圧縮機構部の上部密閉空間から前記潤滑油溜りの潤滑油面の上側をつなぐほぼ直線状の前記作動ガス通路であることを特徴とする圧縮機。
【請求項４】
請求項３に記載の圧縮機において、
前記作動ガス通路は、前記圧縮機構部の前記上部密閉空間から前記潤滑油溜りの潤滑油面の上側までほぼ同じ断面形状、断面積に形成されていることを特徴とする圧縮機。
【請求項５】
請求項１乃至請求項４のいずれか１項に記載の圧縮機において、
複数の前記第１潤滑油分離板が所定の距離を置いて設けられていることを特徴とする圧縮機。
【請求項６】
請求項１乃至請求項４のいずれか１項に記載の圧縮機において、
前記第２潤滑油分離板の外周には作動ガスが通過する作動ガス通過面が形成されていることを特徴とする圧縮機。
【請求項７】
請求項５に記載の圧縮機において、
隣り合う前記第１潤滑油分離板は鉛直方向においてそれぞれ互いの複数の孔が重ならないように配置されることを特徴とする圧縮機。
【請求項８】
請求項５に記載の圧縮機において、
前記第２潤滑油分離板の外周には、前記第１潤滑油分離板の方に延びる側周壁が形成されていることを特徴とする圧縮機。
【請求項９】
請求項１乃至請求項４のいずれか１項に記載の圧縮機において、
前記第１潤滑油分離板に形成される複数の孔は、縦方向と横方向に規則的に並んでいるか、或いは中心部から径方向に向かって直線状に並んでいることを特徴とする圧縮機。
【請求項１０】
請求項１乃至請求項４のいずれか１項に記載の圧縮機において、
前記第１潤滑油分離板と前記第２潤滑油分離板は中央付近に前記回転軸が挿通する挿通孔が形成され、この挿通孔を介して作動ガスが前記吐出管側に流れることを特徴とする圧縮機。
【請求項１１】
請求項１０に記載の圧縮機において、
前記第１潤滑油分離板、或いは前記第２潤滑油分離板、或いは前記第１潤滑油分離板と前記第２潤滑油分離板の前記挿通孔は、前記各潤滑油分離板の外周側から内側に向けて下側に傾斜する傾斜面に形成されていることを特徴とする圧縮機。
【請求項１２】
請求項１０に記載の圧縮機において、
前記第２潤滑油分離板には前記挿通孔から上側に植立した支持部が形成され、前記支持部に前記第２潤滑油分離板の前記挿通孔から流れてくる作動ガスが衝突する上面分離壁を設けたことを特徴とする圧縮機。
【手続補正書】
【提出日】平成30年5月18日(2018.5.18)
【手続補正１】
【補正対象書類名】特許請求の範囲
【補正対象項目名】全文
【補正方法】変更
【補正の内容】
【特許請求の範囲】
【請求項１】
少なくとも３つの撮像部がそれぞれ撮像した画像から２枚の画像を選択し、選択した２枚の画像を参照することによって、対象点の三次元上の位置を示す位置情報を算出する位置情報算出部
を備え、
上記位置情報算出部が選択した上記２枚の画像が、上記撮像部から上記対象点までの実空間上の距離、または、上記対象点における被写体のエッジ方向によって異なることを特徴とする計測装置。
【請求項２】
上記位置情報算出部は、上記撮像部から上記対象点までの実空間上の距離に応じて、上記少なくとも３つの撮像部がそれぞれ撮像した画像のうち、２枚の画像を選択する、
ことを特徴とする請求項１に記載の計測装置。
【請求項３】
上記位置情報算出部は、上記少なくとも３つの撮像部のうち何れかの撮像部が撮像した画像を基準画像として選択し、当該基準画像を撮像した撮像部以外の撮像部のうち、何れかの撮像部が撮像した画像を参照画像として選択し、
上記位置情報算出部は、当該基準画像を撮像した撮像部から上記対象点の位置に写された被写体までの実空間における距離が長くなるほど、当該基準画像を撮像した撮像部から当該参照画像を撮像した撮像部までの距離が長くなるように当該参照画像を選択する
ことを特徴とする請求項２に記載の計測装置。
【請求項４】
上記位置情報算出部は、上記対象点における被写体のエッジ方向に応じて、上記少なくとも３つの撮像部がそれぞれ撮像した画像のうち、２枚の画像を選択する、
ことを特徴とする請求項１から３の何れか１項に記載の計測装置。
【請求項５】
上記位置情報算出部は、上記エッジ方向とは異なる方向に沿って配置された少なくとも２つの撮像部によって撮像された画像を選択する、
ことを特徴とする請求項４に記載の計測装置。
【請求項６】
少なくとも３つの撮像部がそれぞれ撮像した画像から２枚の画像を選択し、選択した２枚の画像を参照することによって、上記対象点の三次元上の位置を示す位置情報を算出することを含み、
上記選択した２枚の画像が、上記撮像部から上記対象点までの実空間上の距離、または、上記対象点における被写体のエッジ方向によって異なることを特徴とする計測方法。
【請求項７】
請求項１〜５のいずれか一項に記載の計測装置としてコンピュータを機能させるための計測プログラムであって、上記位置情報算出部としてコンピュータを機能させるための計測プログラム。
【手続補正書】
【提出日】平成30年3月5日(2018.3.5)
【手続補正１】
【補正対象書類名】特許請求の範囲
【補正対象項目名】全文
【補正方法】変更
【補正の内容】
【特許請求の範囲】
【請求項１】
使用済燃料キャスク本体内に収容され、複数体の使用済燃料を未臨界状態で収納する筒状の使用済燃料キャスク用バスケットが設けられ、
前記使用済燃料キャスク用バスケットは、中性子吸収材を備えた強度部材の鋼板と伝熱部材の合金板とを重ね合せて構成される重合せ枠板と、
前記重合せ枠板を縦横に交差および積層させて構成されるバスケット格子と、
前記バスケット格子の外縁部に設置される伝熱部材の合金製伝熱プレートとを有することを特徴とする使用済燃料キャスク。
【請求項２】
前記バスケット格子を構成する重合せ枠板は、ボロン添加のステンレス鋼板とアルミニウム合金板とを重ね合せて構成され、
前記バスケット格子の外縁部にアルミニウム合金製の伝熱プレートが設置された請求項１記載の使用済燃料キャスク。
【請求項３】
使用済燃料キャスク本体内に収容され、複数体の使用済燃料を未臨界状態で収納する筒状の使用済燃料キャスク用バスケットが設けられ、
前記使用済燃料キャスク用バスケットは、強度部材の鋼板と中性子吸収材を備えた伝熱部材の合金板とを重ね合せて構成される重合せ枠板と、
前記重合せ枠板を縦横に交差および積層させて構成されるバスケット格子と、
前記バスケット格子の外縁部に設置される伝熱部材の合金製伝熱プレートとを有することを特徴とする使用済燃料キャスク。
【請求項４】
前記バスケット格子を構成する重合せ枠板は、ステンレス鋼板とボロン添加のアルミニウム合金板とを重ね合せて構成され、
前記バスケット格子の外縁部にアルミニウム合金製の伝熱プレートが設置された請求項３に記載の使用済燃料キャスク。
【請求項５】
前記バスケット格子の外縁部に設置されるアルミニウム合金製の伝熱プレートは、前記重合せ枠板のアルミニウム合金板またはボロン添加のアルミニウム合金板に設けられ、
前記伝熱プレートは、前記使用済燃料キャスク本体のキャスク内周面に対向する面を有する請求項２または４に記載の使用済燃料キャスク。
【請求項６】
前記バスケット格子は、前記使用済燃料の有効発熱部を含む軸方向高さを有する請求項１に記載の使用済燃料キャスク。
【請求項７】
中性子吸収材を備えた強度部材の鋼板と伝熱部材の合金板とを重ね合せて構成される重合せ枠板と、
前記重合せ枠板を縦横に交差および積層させて構成される筒状のバスケット格子と、
前記バスケット格子の外縁部に設置される伝熱部材の合金製伝熱プレートとを備え、
前記バスケット格子に複数体の使用済燃料が未臨界状態で収納可能に設けられることを特徴とする使用済燃料キャスク用バスケット。
【請求項８】
前記バスケット格子を構成する重合せ枠板は、ボロン添加の強度部材のステンレス鋼板と伝熱部材のアルミニウム合金板とを重ね合せて構成され、
前記バスケット格子の外縁部にアルミニウム合金製の伝熱プレートが設置された請求項７に記載の使用済燃料キャスク用バスケット。
【請求項９】
強度部材の鋼板と中性子吸収材を備えた伝熱部材の合金板とを重ね合せて構成される重合せ枠板と、
前記重合せ枠板を縦横に交差および積層させて構成される筒状のバスケット格子と、
前記バスケット格子の外縁部に設置される伝熱部材の合金製伝熱プレートとを備え、
前記バスケット格子に複数体の使用済燃料が未臨界状態で収納可能に設けられることを特徴とする使用済燃料キャスク用バスケット。
【請求項１０】
前記バスケット格子を構成する重合せ部材は、強度部材のステンレス鋼板とボロン添加の伝熱部材のアルミニウム合金板とを重ね合せて構成され、
前記バスケット格子の外縁部にアルミニウム合金製の伝熱プレートが設置された請求項９に記載の使用済燃料キャスク用バスケット。
【請求項１１】
前記バスケット格子を構成する重合せ部材は、矩形形状の板材で形成され、前記重合せ部材は使用済燃料キャスク用バスケットの径方向両端近傍にまで届く連続した長手方向長さを有する請求項７または９に記載の使用済燃料キャスク用バスケット。
【手続補正２】
【補正対象書類名】明細書
【補正対象項目名】００１５
【補正方法】変更
【補正の内容】
【００１５】
本実施形態は、上述した課題を考慮してなされたもので、使用済燃料キャスク本体内に収容され、複数体の使用済燃料を未臨界状態で収納する筒状の使用済燃料キャスク用バスケットが設けられ、前記使用済燃料キャスク用バスケットは、中性子吸収材を備えた強度部材の鋼板と伝熱部材の合金板とを重ね合せて構成される重合せ枠板と、前記重合せ枠板を縦横に交差および積層させて構成されるバスケット格子と、前記バスケット格子の外縁部に設置される伝熱部材の合金製伝熱プレートとを有することを特徴とする使用済燃料キャスクを提供するものである。
また、本実施形態は、使用済燃料キャスク本体内に収容され、複数体の使用済燃料を未臨界状態で収納する筒状の使用済燃料キャスク用バスケットが設けられ、前記使用済燃料キャスク用バスケットは、強度部材の鋼板と中性子吸収材を備えた伝熱部材の合金板とを重ね合せて構成される重合せ枠板と、前記重合せ枠板を縦横に交差および積層させて構成されるバスケット格子と、前記バスケット格子の外縁部に設置される伝熱部材の合金製伝熱プレートとを有することを特徴とする使用済燃料キャスクを提供するものである。
【手続補正３】
【補正対象書類名】明細書
【補正対象項目名】００１６
【補正方法】変更
【補正の内容】
【００１６】
また、本実施形態は、中性子吸収材を備えた強度部材の鋼板と伝熱部材の合金板とを重ね合せて構成される重合せ枠板と、前記重合せ枠板を縦横に交差および積層させて構成される筒状のバスケット格子と、前記バスケット格子の外縁部に設置される伝熱部材の合金製伝熱プレートとを備え、前記バスケット格子に複数体の使用済燃料が未臨界状態で収納可能に設けられることを特徴とする使用済燃料キャスク用バスケットを提供するものである。
さらに、本実施形態は、強度部材の鋼板と中性子吸収材を備えた伝熱部材の合金板とを重ね合せて構成される重合せ枠板と、前記重合せ枠板を縦横に交差および積層させて構成される筒状のバスケット格子と、前記バスケット格子の外縁部に設置される伝熱部材の合金製伝熱プレートとを備え、前記バスケット格子に複数体の使用済燃料が未臨界状態で収納可能に設けられることを特徴とする使用済燃料キャスク用バスケットを提供するものである。
【手続補正書】
【提出日】平成30年5月14日(2018.5.14)
【手続補正１】
【補正対象書類名】特許請求の範囲
【補正対象項目名】全文
【補正方法】変更
【補正の内容】
【特許請求の範囲】
【請求項１】
撮像位置が異なる複数の画像を取得する取得部と、
上記複数の画像間の視差に基づいて、被写体上の計測点に対応する計測値を算出するとともに、当該視差に基づいて、当該計測値に対応する計測誤差を算出する算出部と
を備えていることを特徴とする三次元計測装置。
【請求項２】
上記複数の画像のうちの１つの画像である基準画像内で指定された少なくとも２つの計測点間の計測距離と、当該計測距離の計測誤差とを上記基準画像に重畳して表示する表示部をさらに備えていることを特徴とする請求項１に記載の三次元計測装置。
【請求項３】
上記取得部は、撮像位置が異なる複数の画像を複数回取得し、
上記算出部は、各回における当該複数の画像間の視差に基づいて算出した計測値のうち、対応する計測誤差が最小となる計測値を特定することを特徴とする請求項１または２に記載の三次元計測装置。
【請求項４】
上記計測誤差をより小さくするための撮像位置への移動方向を示すガイドを表示するガイド表示部をさらに備える
ことを特徴とする請求項１〜３の何れか１項に記載の三次元計測装置。
【請求項５】
撮像位置が異なる複数の画像を取得する取得ステップと、
上記複数の画像間の視差に基づいて、被写体上の計測点に対応する計測値を算出するとともに、当該視差に基づいて、当該計測値に対応する計測誤差を算出する算出ステップと、
を含むことを特徴とする三次元計測方法。
【請求項６】
請求項１に記載の三次元計測装置としてコンピュータを機能させるための三次元計測プログラムであって、上記取得部および上記算出部としてコンピュータを機能させるための三次元計測プログラム。
【請求項７】
請求項６に記載の三次元計測プログラムを記録したコンピュータ読み取り可能な記録媒体。